(57)【要約】【課題】各表示部によるマルチディスプレイの構成を自動的に行うことができる表示装置及び表示方法を提供する。【解決手段】各表示部は、表示部で表示する映像に関連する状態情報を記憶する記憶部と、状態情報の変更を受け付ける変更受付部と、受け付けた状態情報を他の表示部へ送出する送出部と、他の表示部が送出した状態情報を取得する取得部と、取得した状態情報と記憶部に記憶した状態情報との差異の有無を判定する判定部と、判定部で差異があると判定した複数の表示部がある場合、複数の表示部のうち状態情報が等しい各表示部からなる表示画面を構成する表示画面構成部とを備える。【選択図】図２
2015161929.tif 000002
【特許請求の範囲】
【請求項１】
複数の表示部を並置してなり、１又は複数の映像を表示する表示装置において、
各表示部は、
該表示部で表示する映像に関連する状態情報を記憶する記憶部と、
状態情報の変更を受け付ける変更受付部と、
該変更受付部で受け付けた状態情報を他の表示部へ送出する送出部と、
他の表示部が送出した状態情報を取得する取得部と、
該取得部で取得した状態情報と前記記憶部に記憶した状態情報との差異の有無を判定する判定部と、
該判定部で差異があると判定した複数の表示部がある場合、該複数の表示部のうち状態情報が等しい各表示部からなる表示画面を構成する表示画面構成部と
を備えることを特徴とする表示装置。
【請求項２】
前記表示画面構成部は、
前記判定部で差異がないと判定した複数の表示部がある場合、該複数の表示部を含み状態情報が等しい各表示部からなる表示画面を構成するようにしてあることを特徴とする請求項１に記載の表示装置。
【請求項３】
前記表示画面に一の映像を表示すべく制御する映像制御部を備えることを特徴とする請求項１又は請求項２に記載の表示装置。
【請求項４】
前記表示画面を構成しない表示部がある場合、該表示部による映像表示を無効にする無効部を備えることを特徴とする請求項１から請求項３までのいずれか１項に記載の表示装置。
【請求項５】
一の表示部に表示する映像を他の表示部に表示させる操作を受け付ける操作受付部を備え、
前記表示画面構成部は、
前記操作受付部で操作を受け付けた場合、前記一の表示部と同じ状態情報を有する各表示部からなる表示画面を再構成するようにしてあることを特徴とする請求項１から請求項４までのいずれか１項に記載の表示装置。
【請求項６】
前記表示画面構成部は、
前記操作受付部で操作を受け付けた場合、前記一の表示部と異なる状態情報を有する各表示部からなる表示画面を維持するようにしてあることを特徴とする請求項５に記載の表示装置。
【請求項７】
複数の表示部を並置してなり、１又は複数の映像を表示する表示装置による表示方法において、
各表示部は、
該表示部で表示する映像に関連する状態情報を記憶部に記憶してあり、
状態情報の変更を受け付けるステップと、
受け付けた状態情報を他の表示部へ送出するステップと、
他の表示部が送出した状態情報を取得するステップと、
取得された状態情報と前記記憶部に記憶した状態情報との差異の有無を判定するステップと、
差異があると判定した複数の表示部がある場合、該複数の表示部のうち状態情報が等しい各表示部からなる表示画面を構成するステップと
を含むことを特徴とする表示方法。
【発明の詳細な説明】
【技術分野】
【０００１】
本発明は、複数の表示部を並置してなり、１又は複数の映像画面を表示する表示装置及び表示方法に関する。
【背景技術】
【０００２】
近年、複数の表示装置（表示部）を縦横方向に並置して一つの大画面を構成する、いわゆるマルチディスプレイ型の大型表示装置が広く普及している。このようなマルチディスプレイでは、１つの映像を大画面に表示することができる（特許文献１参照）。
【０００３】
一方で、１つの表示装置を用いたシングルディスプレイにおいて、複数の映像を同時に表示する、いわゆるＰｂｙＰ（Picture by Picture：ピクチャー・バイ・ピクチャー）機能などの表示方式も普及している（特許文献２、３参照）。
【先行技術文献】
【特許文献】
【０００４】
【特許文献１】特開２０１１−２４８２２５号公報
【特許文献２】特開２００８−２２７６７７号公報
【特許文献３】特開平６−１２１２７８号公報
【発明の概要】
【発明が解決しようとする課題】
【０００５】
しかし、特許文献１のようなマルチディスプレイで１つの映像を表示中に、入力切替又はストリーム切替などによって２つの映像を表示しようとした場合、マルチディスプレイを構成する一部のディスプレイの映像を切り替えることになるので、マルチディスプレイを構成するディスプレイの映像が変わるため、片方の映像の一部が欠けてしまう。また、ＰｂｙＰのように両方の映像を全て表示するように切り替える場合、切替の都度、各ディスプレイのマルチディスプレイの構成を手動で再設定するか、あるいは予めデジタルスイッチャーのようなマルチディスプレイへの出力を制御する高価な装置を別途用意して接続しておく必要がある。
【０００６】
また、特許文献２、３のようなシングルディスプレイでは、ＰｂｙＰの処理判断又は設定方法などは１つの制御部で完結して行うことができるものの、マルチディスプレイでは、各ディスプレイがそれぞれ独自の制御部を備えているため、例えば、ＰｂｙＰに切り替えるときに、ＰｂｙＰの処理判断又は設定などを各制御部でどのように同期させるかが問題となる。
【０００７】
本発明は斯かる事情に鑑みてなされたものであり、各表示部によるマルチディスプレイの構成を自動的に行うことができる表示装置及び表示方法を提供することを目的とする。
【課題を解決するための手段】
【０００８】
本発明に係る表示装置は、複数の表示部を並置してなり、１又は複数の映像を表示する表示装置において、各表示部は、該表示部で表示する映像に関連する状態情報を記憶する記憶部と、状態情報の変更を受け付ける変更受付部と、該変更受付部で受け付けた状態情報を他の表示部へ送出する送出部と、他の表示部が送出した状態情報を取得する取得部と、該取得部で取得した状態情報と前記記憶部に記憶した状態情報との差異の有無を判定する判定部と、該判定部で差異があると判定した複数の表示部がある場合、該複数の表示部のうち状態情報が等しい各表示部からなる表示画面を構成する表示画面構成部とを備えることを特徴とする。
【０００９】
本発明に係る表示装置は、前記表示画面構成部は、前記判定部で差異がないと判定した複数の表示部がある場合、該複数の表示部を含み状態情報が等しい各表示部からなる表示画面を構成するようにしてあることを特徴とする。
【００１０】
本発明に係る表示装置は、前記表示画面に一の映像を表示すべく制御する映像制御部を備えることを特徴とする。
【００１１】
本発明に係る表示装置は、前記表示画面を構成しない表示部がある場合、該表示部による映像表示を無効にする無効部を備えることを特徴とする。
【００１２】
本発明に係る表示装置は、一の表示部に表示する映像を他の表示部に表示させる操作を受け付ける操作受付部を備え、前記表示画面構成部は、前記操作受付部で操作を受け付けた場合、前記一の表示部と同じ状態情報を有する各表示部からなる表示画面を再構成するようにしてあることを特徴とする。
【００１３】
本発明に係る表示装置は、前記表示画面構成部は、前記操作受付部で操作を受け付けた場合、前記一の表示部と異なる状態情報を有する各表示部からなる表示画面を維持するようにしてあることを特徴とする。
【００１４】
本発明に係る表示方法は、複数の表示部を並置してなり、１又は複数の映像を表示する表示装置による表示方法において、各表示部は、該表示部で表示する映像に関連する状態情報を記憶部に記憶してあり、状態情報の変更を受け付けるステップと、受け付けた状態情報を他の表示部へ送出するステップと、他の表示部が送出した状態情報を取得するステップと、取得された状態情報と前記記憶部に記憶した状態情報との差異の有無を判定するステップと、差異があると判定した複数の表示部がある場合、該複数の表示部のうち状態情報が等しい各表示部からなる表示画面を構成するステップとを含むことを特徴とする。
【発明の効果】
【００１５】
本発明によれば、マルチディスプレイの構成を自動的に行うことができる。
【図面の簡単な説明】
【００１６】
【図１】本実施の形態の表示装置の外観の一例を示す模式図である。
【図２】本実施の形態の表示ユニットの構成の一例を示すブロック図である。
【図３】本実施の形態の表示装置による表示画面の構成の第１実施例を示す説明図である。
【図４】本実施の形態の表示装置による表示画面の構成の第１実施例を示す説明図である。
【図５】本実施の形態の表示装置による表示画面の構成の第２実施例を示す説明図である。
【図６】本実施の形態の表示装置による表示画面の構成の第２実施例を示す説明図である。
【図７】本実施の形態の表示装置による表示画面の構成の第３実施例を示す説明図である。
【図８】本実施の形態の表示装置による表示画面の構成の第３実施例を示す説明図である。
【図９】本実施の形態の表示装置による表示画面の構成の第４実施例を示す説明図である。
【図１０】本実施の形態の表示装置による表示画面の構成の第４実施例を示す説明図である。
【図１１】本実施の形態の表示装置による表示画面の構成の第５実施例を示す説明図である。
【図１２】本実施の形態の表示装置による表示画面の構成の第５実施例を示す説明図である。
【図１３】本実施の形態の表示装置による表示画面の構成の第５実施例を示す説明図である。
【図１４】本実施の形態の表示装置による表示画面の構成の第５実施例を示す説明図である。
【図１５】本実施の形態の表示装置による表示画面の構成の第６実施例を示す説明図である。
【図１６】本実施の形態の表示装置の操作表示部による状態情報変化の検出処理の一例を示すフローチャートである。
【図１７】本実施の形態の表示装置の親表示部による状態情報同期処理の一例を示すフローチャートである。
【図１８】本実施の形態の表示装置の操作表示部による自動再構成指示処理の一例を示すフローチャートである。
【図１９】本実施の形態の表示装置の通知を受けた表示部による自動再構成処理の一例を示すフローチャートである。
【発明を実施するための形態】
【００１７】
以下、本発明を実施の形態を示す図面に基づいて説明する。図１は本実施の形態の表示装置１００の外観の一例を示す模式図である。本実施の形態の表示装置１００は、表示部１１を有する表示ユニット１０を複数並置してなり、１又は複数の映像を表示することができる。図１の例では、１６個の表示ユニット１０を、縦４列、横４列として隣接して配置してある。各表示ユニット１０それぞれは、映像を表示することができる表示部１１を備えている。複数の表示ユニット１０を並置することにより、表示装置１００は、一つの大画面を構成するいわゆるマルチディスプレイを構成する。
【００１８】
図２は本実施の形態の表示ユニット１０の構成の一例を示すブロック図である。表示ユニット１０は、液晶モニタ又はブラウン管などの表示部１１、表示ユニット１０全体を制御する制御部１２、記憶部１３、通信部１４、操作部１５、映像入出力部１６などを備える。また、制御部１２は、状態取得部１２１、条件判定部１２２、マルチディスプレイ制御部１２３などを備える。
【００１９】
図２に示すように、表示ユニット１０は、信号線を介して接続されている。なお、図２の例では簡便のため３個の表示ユニット１０だけを記載している。また、表示ユニット１０には、映像出力機器２００を接続している。表示ユニット１０は、映像出力機器２００から出力された映像信号を取得して表示部１１に映像を表示する。
【００２０】
通信部１４は、送出部としての機能を有し、他の表示ユニット１０との間で後述の状態情報などの所定の情報及び制御コマンドの送受信を行う。通信部１４は、例えば、双方向通信が可能なＲＳ−２３２Ｃ、ＵＳＢ、ＬＡＮなどを利用することができる。
【００２１】
映像入出力部１６は、映像出力機器２００及び他の表示ユニット１０内の映像入出力部１６との間のインタフェース機能を有する。映像入出力部１６は、他の表示ユニット１０の映像入出力部１６との間では映像信号群の入出力が行われる。映像信号群とは、表示ユニット１０に入出力される全ての映像信号を指す。また、映像信号は、例えば、ＨＤＭＩ（High-Definition Multimedia Interface）（ＨＤＭＩは登録商標）、ＤＶＩ（Digital Visual Interface）、ＤｉｓｐｌａｙＰｏｒｔ、Ｄ−ＳＵＢ、コンポーネント、Ｓ−ＶＩＤＥＯ、コンポジットなどいずれであってもよい。
【００２２】
操作部１５は、変更受付部及び操作受付部としての機能を有する。操作部１５は、リモコン又は表示ユニット１０本体のキーから所定の操作を受け付ける。所定の操作は、例えば、状態情報の変更操作、一の表示部１１に表示する映像を他の表示部１１に表示させる操作などである。
【００２３】
記憶部１３は、表示部１１で表示する映像に関連する状態情報を記憶する。状態情報はマルチディスプレイをどのように構成するかを判定するために用いられる表示部１１独自の情報である。状態情報は、例えば、切り替えられた入力（現在の入力）、マルチストリームのストリームＩＤ、電源のオン又はオフ、マルチディスプレイ機能のオン又はオフなどの情報を含む。また、記憶部１３は、表示ユニット１０の設定値を記憶する。また、記憶部１３は、表示部１１が、後述の操作表示部、親表示部又は子表示部のいずれであるかを示す情報とともに、他の表示部が操作表示部、親表示部又は子表示部のいずれであるかを示す情報を記憶する。
【００２４】
また、記憶部１３は、マルチディスプレイの構成内容（マルチディスプレイ情報）を記憶する。マルチディスプレイの構成内容は、状態情報が同じ表示部１１からなる表示画面としてのマルチディスプレイがどのように構成されているかを示すマルチディスプレイシステム全体（表示装置１００）の情報である。例えば、表示装置１００全体としての表示画面の数、表示画面ＩＤ、各表示画面ＩＤに属する表示部ＩＤ又は表示ユニットＩＤなどの情報を含む。また、記憶部１３は、状態変化フラグ（例えば、１、０など）を記憶する。
【００２５】
状態取得部１２１は、取得部としての機能を有し、自身の表示部１１を含む表示画面（マルチディスプレイ）を構成する各表示部１１の状態情報を取得する。これにより、表示装置１００内の複数の表示部１１のうち任意の表示部１１で状態情報の変更を受け付けた場合、変更された状態情報は、当該任意の表示部１１以外の他の表示部１１へ通知されることになる。
【００２６】
条件判定部１２２は、判定部としての機能を有し、状態取得部１２１で取得した状態情報と記憶部１３に記憶した状態情報との差異の有無を判定する。すなわち、条件判定部１２２は、入力の変更、すなわち入力切替の有無、ストリームＩＤの変更の有無、電源のオン又はオフへの変更の有無、マルチディスプレイのオン又はオフへの変更の有無などを判定する。
【００２７】
マルチディスプレイ制御部１２３は、表示画面構成部としての機能を有する。マルチディスプレイ制御部１２３は、表示画面（マルチディスプレイ）の構成、再構成の制御を行う。例えば、マルチディスプレイ制御部１２３は、条件判定部１２２で状態情報に差異があると判定した複数の表示部１１がある場合、当該複数の表示部１１のうち状態情報が等しい各表示部１１からなる表示画面を構成する。表示画面は、１つの映像を表示する表示部の集合を指し、表示画面を構成する表示部１１の状態情報は同一である。
【００２８】
また、マルチディスプレイ制御部１２３は、映像制御部としての機能を有し、構成又は再構成された表示画面に１つの映像を表示すべく制御する。１つの映像とは、１つのストリームＩＤで画定される映像である。
【００２９】
これにより、例えば、一の表示画面が構成された場合には、当該表示画面に１つの映像を表示することができる。また、複数の表示画面が構成された場合には、表示画面それぞれに１つの映像を表示することができる。
【００３０】
例えば、すべての表示部１１（図１の例では、１６個）で１つの映像（１つのストリームＩＤの映像）を表示する場合、すべての表示部１１が１つの表示画面を構成するので各表示部１１の状態情報は同一である。模式的に、同一の状態情報をＳ１と称する。この場合に、任意の表示部の状態情報が、例えば、状態情報Ｓ１から状態情報Ｓ２（Ｓ１と異なる）に変更されたときは、状態情報Ｓ１の表示部同士で一の表示画面を構成し、状態情報Ｓ２の表示部同士で他の表示画面を構成する。これにより、各表示部によるマルチディスプレイの構成を自動的に行うことができる。この場合、２つの表示画面により、異なる２つの映像（ストリームＩＤが異なる２つの映像）を同時に表示させることができる。
【００３１】
また、マルチディスプレイ制御部１２３は、条件判定部１２２で状態情報に差異がないと判定した複数の表示部１１がある場合、当該複数の表示部１１を含み状態情報が等しい各表示部１１からなる表示画面を構成する。
【００３２】
例えば、状態情報Ｓ１の表示部１１からなる表示画面と状態情報Ｓ２の表示部１１からなる表示画面の２つの表示画面が構成されているとする。この場合に、状態情報Ｓ２の表示部１１の状態情報がＳ２から状態情報Ｓ１に変更され、すべての表示部１１の状態情報がＳ１になったとすると、状態情報がＳ１の表示部同士で一の表示画面を構成する。これにより、当初、２つの表示画面で構成されていたものが一の表示画面に構成（再構成）されることになる。これにより、各表示部１１によるマルチディスプレイの構成を自動的に行うことができる。
【００３３】
以下、表示画面の構成（再構成）、すなわちマルチディスプレイの構成方法の具体例について説明する。
【００３４】
図３及び図４は本実施の形態の表示装置１００による表示画面の構成の第１実施例を示す説明図である。図３及び図４に例示する第１実施例は、マルチディスプレイの２表示画面への再構成を示す。図１と同様、表示装置１００は、縦横各４列ずつ合計１６個の表示部１１を備える。
【００３５】
図３に示すように、当初、１６個の表示部１１で１表示画面を構成してあり、１つの映像（図３の例では、模式的に顔の図を示す）を表示している。この状態で任意の表示部１１（表示ユニット１０）、図３の例では、右下端の表示部１１に対して、入力切替の操作が行われたとする。入力切替は、状態変数を変更する１つの操作である。なお、入力切替に限定されるものではなく、表示画面の再構成は、マルチストリームの切替等のマルチディスプレイの表示画面が崩れる操作が行われたときにマルチディスプレイの再構成が行われる。
【００３６】
入力切替の操作により、図４に示すように、元の４×４の表示部１１からなる表示画面は、３×３の表示部１１からなる一の表示画面と、１つの表示部１１からなる他の表示画面の２表示画面に再構成される。この場合、３×３の表示部１１からなる表示画面は、状態情報が変わっていない表示部１１だけを使い、再構成前の状態（図３の状態）の画面比率を変えないように構成されている。
【００３７】
１つの表示部１１からなる他の表示画面は、異なる状態情報に依拠する他の映像（図３の例では、模式的に太陽の図を示す）を表示する。１つの表示部１１からなる他の表示画面は、状態情報が変わった表示部１１だけを使い、再構成前の状態（図３の状態）の画面比率を変えないように構成されている。
【００３８】
また、図４において、模式的に網線を付した６個の表示部１１は、表示画面を構成しない表示部である。制御部１２は、無効部としての機能を有し、表示画面を構成しない表示部１１がある場合、当該表示部１１による映像表示を無効にする。表示画面を構成しない表示部１１とは、映像の表示が不要な表示部である。
【００３９】
映像表示を無効にするとは、例えば、当該表示部１１の電源をオフにすること、映像を出力しないこと、音声を出力しないこと、あるいは所定の映像（本来表示する映像と異なる内部パターン画像など）を表示することなどを含む。これにより、電力消費を抑制することができる。また、映像を表示する表示部１１と映像の表示が不要な表示部１１とを外観上又は視覚的に分けることができ、ユーザは表示画面に表示される映像に集中することができる。
【００４０】
図５及び図６は本実施の形態の表示装置１００による表示画面の構成の第２実施例を示す説明図である。図５は図４の例と同様である。このとき、右下端の表示部１１に対して、入力を戻す操作が行われたとする。入力を戻す操作が行われることにより、図６において、右下の１つの表示部１１の状態情報が、３×３の表示部１１の状態情報と等しくなる。
【００４１】
入力を戻す操作により、図６に示すように、元の４×４の表示部１１からなる表示画面に復帰する。図６の例は図３と同じである。この場合、４×４の表示部１１からなる表示画面は、状態情報同一の表示部１１だけを使い、再構成前の３×３の表示部による画面比率を変えないように構成されている。
【００４２】
図７及び図８は本実施の形態の表示装置１００による表示画面の構成の第３実施例を示す説明図である。図７は図３の例と同様である。この場合、右下端の表示部１１に対して、入力切替の操作が行われたとする。
【００４３】
入力切替の操作により、図８に示すように、元の４×４の表示部１１からなる表示画面は、２×２の表示部１１からなる一の表示画面と、２×２の表示部１１からなる他の表示画面の２表示画面に再構成される。この場合、左上側の２×２の表示部１１からなる表示画面は、状態情報が変わっていない表示部１１だけを使い、再構成前の状態（図７の状態）の画面比率を変えないように構成されている。
【００４４】
また、右下側の２×２の表示部１１からなる表示画面は、状態情報が変わった表示部１１だけを使って表示画面を再構成している。右下側の２×２の表示部１１からなる表示画面は、異なる状態情報に依拠する他の映像（図８の例では、模式的に太陽の図を示す）を表示する。
【００４５】
図９及び図１０は本実施の形態の表示装置１００による表示画面の構成の第４実施例を示す説明図である。図９は図８の例と同様である。この場合、左下端の表示画面を構成していない表示部１１に対して、入力切替の操作が行われたとする。
【００４６】
入力切替の操作により、図１０に示すように、表示画面を構成しない２×２の表示部からなる３番目の表示画面が構成される。第３番目の表示画面は、異なる状態情報に依拠する他の映像（図１０の例では、模式的に月の図を示す）を表示する。この場合、図９に例示した２つの表示画面には変更がない。また、図１０に例示するように、２×２の表示部１１からなる３つの表示画面の画面比率は変更がないように構成されている。この場合にも、それぞれの表示画面を構成する表示部１１の状態情報は同じである。すなわち、状態情報が同じ表示部を用いて１つの表示画面を構成している。なお、画面比率は、ユーザの嗜好に応じて表示画面の構成又は再構成の際に、あるいは表示部１１で映像を表示中に変更するようにしてもよい。
【００４７】
図１１、図１２及び図１３は本実施の形態の表示装置１００による表示画面の構成の第５実施例を示す説明図である。図１１から図１３に示す例は、表示画面の再構成後の表示画面の制御の例を示す。図１１は図４の例と同様である。
【００４８】
この場合、図１２に示すように、一の表示部１１に表示する映像を他の表示部１１に表示させる操作を操作部１５で受け付けたとする。他の表示部１１は、例えば、一の表示部１１の周囲に配置された隣接する表示部１１である。図１２の例では、３×３の表示部１１からなる表示画面の右下側の表示部１１に表示する映像を右隣の表示画面を構成していない表示部１１に表示させる操作を示している。
【００４９】
マルチディスプレイ制御部１２３は、一の表示部１１に表示する映像を他の表示部１１に表示させる操作を受け付けた場合、操作を受け付けた一の表示部１１と同じ状態情報を有する各表示部１１からなる表示画面を再構成する。例えば、縦横３×３の９個の表示部１１で一の表示画面を構成している場合に、当該９個の表示部１１のうちの一の表示部１１に表示する映像を当該一の表示部１１の右隣にある他の表示部１１に表示させる操作が行われた場合、状態情報が同一である３×３の９個の表示部１１に表示する映像を当該９個の表示部１１それぞれの右隣にある９個の表示部１１に表示させるべく、当該右隣にある９個の表示部１１で表示画面を再構成する。
【００５０】
例えば、図１３に示すように、図１２に例示した３×３の表示部１１で構成される表示画面全体が、１個の表示部に相当する分だけ右に移動して、再び３×３の表示部１からなる表示画面に再構成されている。再構成された表示画面には、図１２の場合と同様に、模式的に顔で示す同じ映像が表示されている。これにより、一の表示部１１に対して操作を行うだけで他の表示部１１も制御することができる。
【００５１】
また、マルチディスプレイ制御部１２３は、一の表示部１１に表示する映像を他の表示部１１に表示させる操作を受け付けた場合、操作を受け付けた一の表示部１１と異なる状態情報を有する各表示部１１からなる表示画面を維持する。例えば、縦横３×３の９個の表示部１１で一の表示画面を構成している場合に、当該９個の表示部１１のうちの一の表示部１１に表示する映像を当該一の表示部１１の右隣にある他の表示部１１に表示させる操作が行われた場合、当該９個の表示部１１の状態情報と異なる状態情報の表示部１１からなる表示画面は再構成することなく現状を維持する。
【００５２】
例えば、図１２に例示したように、１つの表示部１１で構成され、模式的に太陽で示す映像を表示する表示部１１の状態情報は、操作を受け付けた、模式的に顔で示す映像の一部を表示する表示部１１の状態情報と異なる。そして、図１３に示すように、３×３の表示部１１の状態情報と異なる状態情報の表示部１１からなる表示画面は再構成することなく現状を維持し、図１２の場合と同様に模式的に太陽で示す映像を表示する。図１３に例示するように、一の表示画面を構成する表示部１１に対して操作を行っても、当該一の表示画面と異なる他の表示画面は影響を受けることはない。
【００５３】
図１２の例では、表示画面に表示する映像を右側の表示部へ移動させる操作について説明したが、移動させる方向は、右側に限定されるものではなく、左側、上側又は下側であってもよい。また、右下、右上、左下、左上の方向へ移動させることもできる。
【００５４】
また、図１２に例示したような複数の表示画面を再構成した後の制御は、状態情報変化の検出条件に合わせて変更すること、あるいは再構成時の処理を変更する制御に合わせて変更することで実現することができる。
【００５５】
図１４は本実施の形態の表示装置１００による表示画面の構成の第５実施例を示す説明図である。図１４に示す例は、図１１に例示した再構成後の表示画面の制御のうち、表示画面の入れ替えの例を示す。図１１では、３×３の表示部１１からなる表示画面に一の映像（模式的に顔で示す映像）を表示し、１の表示部１１からなる表示画面の他の映像（模式的に太陽で示す映像）を表示している。図１４の例は、映像の入れ替えを示す。すなわち、３×３の表示部１１からなる表示画面に他の映像（模式的に太陽で示す映像）を表示し、１の表示部１１からなる表示画面の一の映像（模式的に顔で示す映像）を表示している。
【００５６】
図１５は本実施の形態の表示装置１００による表示画面の構成の第６実施例を示す説明図である。図１５に示す例は、図１１に例示した再構成後の表示画面の制御のうち、表示画面の入力切替の例を示す。図１１では、３×３の表示部１１からなる表示画面に一の映像（模式的に顔で示す映像）を表示し、１の表示部１１からなる表示画面の他の映像（模式的に太陽で示す映像）を表示している。図１５の例は、入力切替を示す。すなわち、３×３の表示部１１からなる表示画面に、切り替えられた入力に対応する別の映像（模式的に月で示す映像）を表示している。
【００５７】
次に、本実施の形態の表示装置１００のマルチディスプレイの構成処理について説明する。以下の説明において、表示画面を構成する表示部１１のうち、操作が行われる表示部１１を操作表示部と称し、一の表示画面を構成する表示部１１のうち代表となる表示部１１を親表示部と称し、親表示部１１以外の他の表示部１１を子表示部と称する。また、映像が表示されていないような、表示画面を構成しない表示部を待機表示部と称する。親表示部は、表示画面毎に任意の表示部１１を選定することができる。また、操作表示部が属する表示画面の親表示部は操作表示部である。
【００５８】
以下に説明するように、操作表示部は、状態情報変化を検出する処理及び自動再構成指示処理を行い、親表示部は、状態情報同期処理を行う。また、自動再構成の通知を受けた表示部は、自動再構成処理を行う。
【００５９】
図１６は本実施の形態の表示装置１００の操作表示部による状態情報変化の検出処理の一例を示すフローチャートである。操作表示部は、状態情報の変化の有無を判定し（Ｓ１１）、状態情報の変化がない場合（Ｓ１１でＮＯ）、ステップＳ１１の処理を続ける。
【００６０】
状態情報変化検出のトリガとなる操作は、例えば、入力の変更、ストリームＩＤの変更又は切替、電源のオン又はオフへの変更、マルチディスプレイのオン又はオフへの変更などである。
【００６１】
状態情報の変化があった場合（Ｓ１１でＹＥＳ）、操作表示部は、状態情報が変化した旨、及び変化した状態情報を各表示画面の親表示部へ通知し（Ｓ１２）、処理を終了する。なお、操作表示部が属する表示画面の親表示部は、操作表示部であるので、自身に通知することになる。次に、各表示画面の親表示部は、図１７に例示する処理を行う。
【００６２】
図１７は本実施の形態の表示装置１００の親表示部による状態情報同期処理の一例を示すフローチャートである。親表示部は、操作表示部から状態情報変化通知及び変化した状態情報を取得したか否かを判定し（Ｓ２１）、取得していない場合（Ｓ２１でＮＯ）、ステップＳ２１の処理を続ける。
【００６３】
状態情報変化通知及び変化した状態情報を取得した場合（Ｓ２１でＹＥＳ）、親表示部は、状態変化フラグがすでに１であるか否かを判定する（Ｓ２２）。状態変化フラグは、記憶部１３に記憶され、状態変化フラグが、例えば、１である場合には、一の操作表示部からすでに状態情報変化通知があったことを示し、０である場合には、操作表示部から未だ状態情報変化通知がないことを示す。
【００６４】
状態変化フラグがすでに１でない場合（Ｓ２２でＮＯ）、親表示部は、状態変化フラグを１にし（Ｓ２３）、取得した状態情報と記憶した状態情報とが同一であるか否かを判定する（Ｓ２４）。状態情報が同一である場合（Ｓ２４でＹＥＳ）、親表示部は、自身が属する表示画面が操作表示部と同じ表示画面になったことを自身の子表示部へ通知する（Ｓ２５）。
【００６５】
親表示部は、自身が操作表示部と同じ状態情報を有することを操作表示部へ通知し（Ｓ２６）、処理を終了する。ステップＳ２５、Ｓ２６の処理は、例えば、図５及び図６に例示した場合に行われる。
【００６６】
状態情報が同一でない場合（Ｓ２４でＮＯ）、親表示部は、自身が操作表示部と異なる状態情報を有することを操作表示部へ通知し（Ｓ２７）、処理を終了する。ステップＳ２７の処理は、例えば、図３及び図４に例示した場合、図９及び図１０に例示した場合に行われる。
【００６７】
状態変化フラグがすでに１である場合（Ｓ２２でＹＥＳ）、親表示部は、操作表示部にエラーを通知し（Ｓ２８）、処理を終了する。この場合、エラーを通知された操作表示部は、所要のエラー処理（例えば、処理終了など）を行うことができる。
【００６８】
複数の表示部に対して、ほぼ同じに操作した場合、複数の操作表示部が生じることになる。親表示部が状態情報同期処理を行う際に、状態変化フラグを利用して、排他制御及びエラー処理を行うことにより、複数の操作表示部が生じないようすることができる。次に、操作表示部は、図１８に例示する処理を行う。
【００６９】
図１８は本実施の形態の表示装置１００の操作表示部による自動再構成指示処理の一例を示すフローチャートである。自動再構成指示処理は、操作表示部の状態を基準として操作表示部自身が行う。操作表示部は、親表示部への通知（例えば、図１７のステップＳ２１）から所定期間内であるか否かを判定し（Ｓ３１）、所定期間内である場合（Ｓ３１でＹＥＳ）、すべての親表示部からの同期応答の有無を判定する（Ｓ３２）。同期応答の有無とは、図１７に例示したステップＳ２６、ステップＳ２７の処理である。
【００７０】
同期応答がない場合（Ｓ３２でＮＯ）、操作表示部は、ステップＳ３１以降の処理を繰り返す。同期応答があった場合（Ｓ３２でＹＥＳ）、操作表示部は、待機表示部以外のすべての親表示部の状態情報が一致するか否かを判定する（Ｓ３３）。図４に例示するように、多表示画面時に映像が出力されていない待機表示部が多数存在する場合、待機表示部を状態の１つとすると、映像が出力されている全ての表示部の状態情報が一致したときでも、全体としては状態が一致しないことになり（すなわち全表示部の状態情報が一致したことにならない）、一表示画面に戻すことができなくなる。そこで、ステップＳ３３において、待機表示部を状態情報の判定から除外することにより、一表示画面に戻らないということを防止することができる。
【００７１】
状態情報が一致する場合（Ｓ３３でＹＥＳ）、操作表示部は、全ての表示部に対して再構成を通知し（Ｓ３４）、処理を終了する。なお、ステップＳ３４において、再構成に必要な情報も付加される。ステップＳ３４の処理は、例えば、図５及び図６に例示した場合のように、多表示画面から一表示画面化する場合に行われる。
【００７２】
状態情報が一致しない場合（Ｓ３３でＮＯ）、操作表示部は、マルチディスプレイ画面全体が再構成される状態情報変化であるか否かを判定し（Ｓ３５）、マルチディスプレイ画面全体が再構成される状態情報変化でない場合（Ｓ３５でＮＯ）、自身が属する表示画面の子表示部に対して再構成を通知し（Ｓ３６）、処理を終了する。なお、ステップＳ３６において、再構成に必要な情報も付加される。ステップＳ３６の処理は、例えば、図３及び図４に例示した場合、図７及び図８に例示した場合、あるいは図９及び図１０に例示した場合のように、一表示画面から多表示画面化する場合、あるいは他表示画面を維持する場合に行われる。なお、再構成通知は、再構成が必要な表示部に対してのみ通知することができる。
【００７３】
マルチディスプレイ画面全体が再構成される状態情報変化である場合（Ｓ３５でＹＥＳ）、操作表示部は、全表示部に再構成を通知し（Ｓ３７）、処理を終了する。なお、ステップＳ３７において、再構成に必要な情報も付加される。ステップＳ３７の処理は、例えば、図１１、図１２及び図１３に例示した場合のように、表示画面のレイアウト変更をする場合に行われる。
【００７４】
所定期間内でない場合（Ｓ３１でＮＯ）、操作表示部は、同期応答があった親表示部に対して、状態変化フラグを０にする通知などのエラー処理を行ない（Ｓ３８）、処理を終了する。
【００７５】
上述のステップＳ３１、Ｓ３２において、親表示部への通知にタイムアウト処理を設けることにより、１つの操作表示部に対して、全ての親表示部から同期応答がある場合には、１つの操作表示部のみが自動構成処理を継続し、１つの操作表示部に対して、全ての親表示部から同期応答がない場合には、全ての操作表示部の処理が終了するので、同時に複数の自動構成処理が行われることを防止することができる。
【００７６】
次に、図１８に示す処理の後の処理として、再構成の通知を受けた表示部による自動再構成処理について図１９を用いて説明する。
【００７７】
図１９は本実施の形態の表示装置１００の通知を受けた表示部による自動再構成処理の一例を示すフローチャートである。表示部は、再構成の通知を取得したか否かを判定する（Ｓ４１）。再構成の通知を取得していない場合（Ｓ４１でＮＯ）、表示部は、ステップＳ４１の処理を繰り返す。
【００７８】
再構成の通知を取得した場合（Ｓ４１でＹＥＳ）、表示部は、通知に付加されている再構成に必要な情報に基づいてマルチディスプレイ設定を変更し（Ｓ４２）、マルチディスプレイ情報を更新する（Ｓ４３）。マルチディスプレイ情報は、例えば、表示装置１００全体としての表示画面の数、表示画面ＩＤ、各表示画面ＩＤに属する表示部ＩＤ又は表示ユニットＩＤなどの情報を含む。なお、ステップＳ４２において、どのようにマルチディスプレイ設定を変更するかは、再構成の所定のアルゴリズムに依存する。当該アルゴリズムは、適宜のとおりに設定することができる。
【００７９】
表示部は、他の表示部へマルチディスプレイ情報を更新したことを通知し、全表示部でマルチディスプレイ情報の同期を取り（Ｓ４４）、状態変化フラグを０にして（Ｓ４５）、処理を終了する。
【００８０】
なお、上述の処理では、１つの表示画面を構成する表示部を親表示部と子表示部とに分けているので、状態情報の通知及び同期に必要な通信を限定することができ、通信速度の低下の抑制、または通信負荷の軽減を図ることができる。なお、上述のように親表示部と子表示部とに分ける構成に代えて、状態情報の通知及び同期処理をすべての表示部に対して行うようにしてもよい。
【００８１】
上述のとおり、本実施の形態によれば、マルチディスプレイ全体（１つの表示画面）で１つの映像を表示することを、複数の映像をＰｂｙＰのように表示することとの切替を各表示部１１（表示ユニット１０）間の通信で得られた状態情報に基づいて、マルチディスプレイを構成する表示部１１（表示ユニット１０）を特定し、自動的に表示画面の構成又は再構成を行うことができる。また、従来の技術と異なり、マルチディスプレイの再構成を実現するために別途高価な装置を用意する必要もない。
【００８２】
本実施の形態の表示装置は、複数の表示部（１０、１１）を並置してなり、１又は複数の映像を表示する表示装置（１００）において、各表示部は、該表示部で表示する映像に関連する状態情報を記憶する記憶部（１３）と、状態情報の変更を受け付ける変更受付部（１５）と、該変更受付部で受け付けた状態情報を他の表示部へ送出する送出部（１４）と、他の表示部が送出した状態情報を取得する取得部（１２１）と、該取得部で取得した状態情報と前記記憶部に記憶した状態情報との差異の有無を判定する判定部（１２２）と、該判定部で差異があると判定した複数の表示部がある場合、該複数の表示部のうち状態情報が等しい各表示部からなる表示画面を構成する表示画面構成部（１２３）とを備えることを特徴とする。
【００８３】
本実施の形態の表示方法は、複数の表示部（１０、１１）を並置してなり、１又は複数の映像を表示する表示装置（１００）による表示方法において、各表示部は、該表示部で表示する映像に関連する状態情報を記憶部（１３）に記憶してあり、状態情報の変更を受け付けるステップと、受け付けた状態情報を他の表示部へ送出するステップと、他の表示部が送出した状態情報を取得するステップと、取得された状態情報と前記記憶部に記憶した状態情報との差異の有無を判定するステップと、差異があると判定した複数の表示部がある場合、該複数の表示部のうち状態情報が等しい各表示部からなる表示画面を構成するステップとを含むことを特徴とする。
【００８４】
本実施の形態にあっては、表示部（１０、１１）の記憶部（１３）には、当該表示部で表示する映像に関連する状態情報を記憶する。状態情報は、マルチディスプレイをどのように構成するかを判定するために用いられる各表示部の情報であり、例えば、切り替えられた入力、マルチストリームのストリームＩＤ、電源のオン又はオフ、マルチディスプレイ機能のオン又はオフなどの情報を含む。変更受付部（１５）は、状態情報の変更を受け付けることができる。送出部（１４）は、受け付けた状態情報を他の表示部へ送出する。これにより、複数の表示部のうち任意の表示部の変更受付部で状態情報の変更を受け付けた場合、変更された状態情報は、当該任意の表示部以外の他の表示部へ通知されることになる。他の表示部の取得部（１２１）は、当該任意の表示部が送出した状態情報を取得する。
【００８５】
表示部の判定部（１２２）は、当該表示部の取得部（１２１）で取得した状態情報と記憶部（１３）に記憶した状態情報との差異の有無を判定する。すなわち、判定部は、入力の変更、すなわち入力切替の有無、ストリームＩＤの変更の有無、電源のオン又はオフへの変更の有無、マルチディスプレイのオン又はオフへの変更の有無などを判定する。表示画面構成部（１２３）は、判定部で差異があると判定した複数の表示部がある場合、当該複数の表示部のうち状態情報が等しい各表示部からなる表示画面を構成する。表示画面は、１つの映像を表示する表示部の集合を指し、表示画面を構成する表示部の状態情報は同一である。
【００８６】
例えば、すべての表示部で１つの映像を表示する場合、すべての表示部が１つの表示画面を構成するので、すべての表示部の状態情報は同一である。同一の状態情報をＳ１と称する。この場合に、任意の表示部の状態情報が、例えば、状態情報Ｓ１から状態情報Ｓ２に変更されたときは、状態情報Ｓ１の表示部同士で一の表示画面を構成し、状態情報Ｓ２の表示部同士で他の表示画面を構成する。これにより、各表示部によるマルチディスプレイの構成を自動的に行うことができる。
【００８７】
本実施の形態の表示装置は、前記表示画面構成部（１２３）は、前記判定部（１２２）で差異がないと判定した複数の表示部（１０、１１）がある場合、該複数の表示部を含み状態情報が等しい各表示部からなる表示画面を構成するようにしてあることを特徴とする。
【００８８】
本実施の形態にあっては、表示画面構成部（１２３）は、判定部（１２２）で差異がないと判定した複数の表示部（１０、１１）がある場合、当該複数の表示部を含み状態情報が等しい各表示部からなる表示画面を構成する。例えば、状態情報Ｓ１の表示部からなる表示画面と状態情報Ｓ２の表示部からなる表示画面の２つの表示画面が構成されているとする。この場合に、状態情報Ｓ２の表示部の状態情報がＳ２から状態情報Ｓ１に変更され、すべての表示部の状態情報がＳ１になったとすると、状態情報がＳ１の表示部同士で一の表示画面を構成する。これにより、当初、２つの表示画面で構成されていたものが一の表示画面に構成（再構成）されることになる。これにより、各表示部によるマルチディスプレイの構成を自動的に行うことができる。
【００８９】
本実施の形態の表示装置は、前記表示画面に一の映像を表示すべく制御する映像制御部（１２３）を備えることを特徴とする。
【００９０】
本実施の形態にあっては、映像制御部（１２３）は、構成された表示画面に一の映像を表示すべく制御する。これにより、例えば、一の表示画面が構成された場合には、当該表示画面に一の映像を表示することができる。また、複数の表示画面が構成された場合には、表示画面それぞれに一の映像を表示することができる。
【００９１】
本実施の形態の表示装置は、前記表示画面を構成しない表示部（１０、１１）がある場合、該表示部による映像表示を無効にする無効部（１２）を備えることを特徴とする。
【００９２】
本実施の形態にあっては、無効部（１２）は、表示画面を構成しない表示部がある場合、当該表示部による映像表示を無効にする。表示画面を構成しない表示部とは、映像の表示が不要な表示部である。映像表示を無効にするとは、例えば、当該表示部の電源をオフにすること、映像を出力しないこと、音声を出力しないこと、あるいは所定の映像（本来表示する映像と異なる内部パターン画像など）を表示することなどを含む。これにより、電力消費を抑制することができる。また、映像を表示する表示部と映像の表示が不要な表示部とを外観上分けることができ、ユーザは表示画面に表示される映像に集中することができる。
【００９３】
本実施の形態の表示装置は、一の表示部に表示する映像を他の表示部に表示させる操作を受け付ける操作受付部（１５）を備え、前記表示画面構成部（１２３）は、前記操作受付部で操作を受け付けた場合、前記一の表示部と同じ状態情報を有する各表示部からなる表示画面を再構成するようにしてあることを特徴とする。
【００９４】
本実施の形態にあっては、操作受付部（１５）は、一の表示部に表示する映像を他の表示部に表示させる操作を受け付ける。他の表示部は、例えば、一の表示部の周囲に配置された隣接する表示部である。表示画面構成部（１２３）は、操作受付部で操作を受け付けた場合、当該一の表示部と同じ状態情報を有する各表示部からなる表示画面を再構成する。例えば、縦横３×３の９個の表示部で一の表示画面を構成している場合に、当該９個の表示部のうちの一の表示部に表示する映像を当該一の表示部の右隣にある他の表示部に表示させる操作が行われた場合、状態情報が同一である３×３の９個の表示部に表示する映像を当該９個の表示部それぞれの右隣にある９個の表示部に表示させるべく、当該右隣にある９個の表示部で表示画面を再構成する。これにより、一の表示部に対して操作を行うだけで他の表示部も制御することができる。
【００９５】
本実施の形態の表示装置は、前記表示画面構成部（１２３）は、前記操作受付部（１５）で操作を受け付けた場合、前記一の表示部と異なる状態情報を有する各表示部からなる表示画面を維持するようにしてあることを特徴とする。
【００９６】
本実施の形態にあっては、表示画面構成部（１２３）は、操作受付部（１５）で操作を受け付けた場合、当該一の表示部と異なる状態情報を有する各表示部からなる表示画面を維持する。例えば、縦横３×３の９個の表示部で一の表示画面を構成している場合に、当該９個の表示部のうちの一の表示部に表示する映像を当該一の表示部の右隣にある他の表示部に表示させる操作が行われた場合、当該９個の表示部の状態情報と異なる状態情報の表示部からなる表示画面は再構成することなく現状を維持する。これにより、一の表示画面を構成する表示部に対して操作を行っても、当該一の表示画面と異なる他の表示画面は影響を受けることはない。
【符号の説明】
【００９７】
１０  表示ユニット
１１  表示部
１２  制御部
１２１  状態取得部
１２２  条件判定部
１２３  マルチディスプレイ制御部
１３  記憶部
１４  通信部
１５  操作部
１６  映像入出力部
【図１】
2015161929.tif 000003
【図２】
2015161929.tif 000004
【図３】
2015161929.tif 000005
【図４】
2015161929.tif 000006
【図５】
2015161929.tif 000007
【図６】
2015161929.tif 000008
【図７】
2015161929.tif 000009
【図８】
2015161929.tif 000010
【図９】
2015161929.tif 000011
【図１０】
2015161929.tif 000012
【図１１】
2015161929.tif 000013
【図１２】
2015161929.tif 000014
【図１３】
2015161929.tif 000015
【図１４】
2015161929.tif 000016
【図１５】
2015161929.tif 000017
【図１６】
2015161929.tif 000018
【図１７】
2015161929.tif 000019
【図１８】
2015161929.tif 000020
【図１９】
2015161929.tif 000021